(57)【要約】【課題】軽量かつ汎用性の高いダミーブックを提供する。【解決手段】ダミーブック１０は、内部が空洞の本体部１２と、本体部１２に対して開閉可能に構成された表紙１４及び裏表紙１６と、を備えている。ダミーブック１０の外観を変えたい場合、表紙１４、背表紙１８及び裏表紙１６にかけるカバー４０を交換する。【選択図】図４
2018199310.tif 000002
【特許請求の範囲】
【請求項１】
内部が空洞の本体部と、
前記本体部に対して開閉可能に構成された表紙及び裏表紙と、
を備えた、ダミーブック。
【請求項２】
前記本体部に固定された背表紙をさらに備え、
前記表紙及び前記裏表紙は、それぞれ、一辺が前記本体部ではなく前記背表紙につながって、前記本体部に対して開閉可能に構成されている、請求項１に記載のダミーブック。
【請求項３】
前記表紙、前記背表紙及び前記裏表紙は、カバーが着脱可能にかけられるように構成されており、
前記カバーがかけられた状態では、前記カバーの第１のそで部が前記表紙と前記本体部との間に位置し、かつ、前記カバーの前記第１のそで部とは反対側にある第２のそで部が前記裏表紙と前記本体部との間に位置する、請求項２に記載のダミーブック。
【請求項４】
前記表紙及び前記裏表紙は、それぞれ、内面にエンボス加工が施されている、請求項３に記載のダミーブック。
【請求項５】
前記本体部は、前記表紙及び前記裏表紙に対向するそれぞれの面にエンボス加工が施されている、請求項３又は４に記載のダミーブック。
【請求項６】
前記表紙及び前記裏表紙は、それぞれ、前記背表紙につながる前記一辺に沿って溝が形成されている、請求項２から５のいずれか一項に記載のダミーブック。
【請求項７】
前記溝は、前記表紙及び前記裏表紙の外面に形成されている、請求項６に記載のダミーブック。
【請求項８】
前記背表紙は、前記表紙及び前記裏表紙よりも厚さが大きい部分を有している、請求項２から７のいずれか一項に記載のダミーブック。
【請求項９】
前記本体部は、前記表紙及び前記裏表紙を閉じた状態において外部に露出する面の少なくとも一部に、当該本体部の厚み方向に沿って凹凸を繰り返す凹凸模様を有している、請求項２から６のいずれか一項に記載のダミーブック。
【請求項１０】
前記凹凸模様は、前記本体部の天、地及び前小口を構成する面に形成されている、請求項９に記載のダミーブック。
【請求項１１】
前記本体部は、箱状に形成されている、請求項２から１０のいずれか一項に記載のダミーブック。
【発明の詳細な説明】
【技術分野】
【０００１】
本発明は、ダミーブックに関する。
【背景技術】
【０００２】
ダミーブックとは、本物の本をイメージした装飾用の本であり、主としてディスプレイのために用いられる。例えば、カフェ、書店を併設した店舗、マンションのモデルルーム等の棚に置かれたダミーブックは、室内空間のインテリアをおしゃれに演出する。
【０００３】
なお、ダミーブックについて先行の特許文献を調査したが、該当するものは見つからなかった。ダミーブックではないが、造花を収納する本型のパッケージを開示する特許文献１は見つかった。この特許文献１では、本物の本のように、多数枚の紙を積層して本体部を形成し、その後、本体部をくり抜いて造花を収容している。
【先行技術文献】
【特許文献】
【０００４】
【特許文献１】実用新案登録第３１５９００５号
【発明の概要】
【発明が解決しようとする課題】
【０００５】
ダミーブックとして、仮に特許文献１のように多数枚の紙を積層したものとすると、重くなる。そうなると、ダミーブックの運搬効率が低下し、また、ダミーブックの設置場所（棚等）に十分な強度が求められてしまう。
【０００６】
一方、市販されているダミーブックのように、表紙、裏表紙及び背表紙に文字やデザインを印刷し、これらすべてを本体部に固定したものとすると、ダミーブックとしてのデザイン等も固定されてしまう。このため、本のイメージを変えることができず、例えば部屋のインテリアの変更のたびにそれに合ったダミーブックを用意する必要があるなど、汎用性に欠けていた。
【０００７】
本発明は、軽量かつ汎用性の高いダミーブックを提供することを目的とする。
【課題を解決するための手段】
【０００８】
本発明の一態様に係るダミーブックは、内部が空洞の本体部と、本体部に対して開閉可能に構成された表紙及び裏表紙と、を備えたものである。
【０００９】
この態様によれば、本体部の内部が空洞であるため、本体部を多数枚の紙を積層して形成する場合に比べて、本体部を軽量化することができる。加えて、表紙及び裏表紙が本体部に対して開閉可能であるため、汎用性を高めることができる。例えば、表紙及び裏表紙を開いてカバーを取り付け、表紙及び裏表紙を閉じてカバーの取付け状態を維持することができる。様々なカバーをつけかえることによって、ダミーブックの外観イメージを変えることができる。
【発明の効果】
【００１０】
軽量で、しかも汎用性の高いダミーブックを提供することができる。
【図面の簡単な説明】
【００１１】
【図１】実施形態に係るダミーブックを示す斜視図であり、（Ａ）は表紙及び裏表紙を閉じた状態、（Ｂ）は表紙及び裏表紙を開いた状態を示すものである。
【図２】図１のＩＩ−ＩＩ線断面図である。
【図３】図１のダミーブックについて表紙及び裏表紙を閉じた状態を示すものであり、（Ａ）は平面図、（Ｂ）は右側面図、（Ｃ）は背面図である。
【図４】図１のダミーブックにカバーをかける前の状態を示す斜視図である。
【図５】図１のダミーブックにカバーをかけた後の状態を示す斜視図であり、（Ａ）は正面側斜視図、（Ｂ）は背面側斜視図である。
【発明を実施するための形態】
【００１２】
添付図面を参照して、本発明の好適な実施形態に係るダミーブックについて説明する。説明の便宜上、本の高さ方向を上下方向又は縦方向とする。各図において、同一の符号を付したものは、同一の又は同様の構成を有する。
【００１３】
図１に示すように、ダミーブック１０は、本体部１２、表紙１４、裏表紙１６及び背表紙１８を備えている。表紙１４及び裏表紙１６は、本体部１２に対して開閉可能に構成されている。
【００１４】
図１〜３に示すように、本体部１２は、箱状に形成され、内部が空洞になっている。本体部１２は、側面のうち、天２０、地２２及び前小口２４を構成する面のそれぞれに凹凸模様２６を有している。天２０、地２２及び前小口２４は、本体部１２の面のうち、表紙１４及び裏表紙１６を閉じた状態において外部に露出する面である。
【００１５】
凹凸模様２６は、本体部１２の厚み方向に沿って凹凸を繰り返す模様となっている。凹凸模様２６は、天２０、地２２及び前小口２４の全面にわたって設けられている。凹凸模様２６は、設けられた面において外側に向かって凸となる複数の凸部２６ａと、隣り合う凸部２６ａ間にあって凸部２６ａに対して凹となる複数の凹部２６ｂと、を有している。例えば、天２０における凹凸模様２６では、凸部２６ａ及び凹部２６ｂが、厚み方向において交互に繰り返されていると共に、本体部１２の奥行方向に互いに平行に延在している（参照：図３（Ａ））。この点、地２２における凹凸模様２６も同様である。一方、前小口２４における凹凸模様２６では、凸部２６ａ及び凹部２６ｂが、厚み方向において交互に繰り返されていると共に、本体部１２の高さ方向に互いに平行に延在している（参照：図３（Ｃ））。凹凸模様２６は、例えば、エンボス加工を施した紙を、本体部１２の該当側面に貼り付けることで形成することができる。
【００１６】
表紙１４及び裏表紙１６は、それぞれ、一辺が背表紙１８につながっている。表紙１４及び裏表紙１６は、本体部１２にはつながっていない。表紙１４の外面１４ａには、表紙１４の背表紙１８につながる一辺に沿って溝３０が形成されている。同様に、裏表紙１６の外面１６ａには、裏表紙１６の背表紙１８につながる一辺に沿って溝３２が形成されている。溝３０、３２は、ダミーブック１０の高さ方向に亘って形成されており、それぞれ、表紙１４及び裏表紙１６に、本体部１２に対する開閉のヒンジ機能を提供している。すなわち、表紙１４は、溝３０を境として回動することで本体部１２に対して開閉される。また、裏表紙１６は、溝３２を境として回動することで本体部１２に対して開閉される。表紙１４及び裏表紙１６は、本体部１２との間の角度が１８０°をわずかに超える範囲まで、回動することができるように構成されている。
【００１７】
図示省略したが、表紙１４の内面１４ｂ及び裏表紙１６の内面１６ｂには、エンボス加工が施されている。エンボス加工は、例えば、表紙１４及び裏表紙１６を形成するそれぞれの紙に直接施すことができる。別の態様では、エンボス加工を施した紙（見返し紙）を、表紙１４及び裏表紙１６を形成するそれぞれの紙に貼り付けることができる。エンボス加工は、点状、線状、幾何学形状など、各種の態様を採用することができ、例えば、上記の凹凸模様２６のようにしてもよい。この場合、例えば、内面１４ｂ及び内面１６ｂにおいては、エンボス加工された凸部及び凹部が、背表紙１８側の一辺からこれと反対側のもう一辺にかけて交互に繰り返されると共に、内面１４ｂ及び内面１６ｂの高さ方向に互いに平行に延在することができる。
【００１８】
なお、本体部１２の、表紙１４及び裏表紙１６に対向するそれぞれの内面１２ａ、１２ｂにも同様にエンボス加工を施すことができる。すなわち、表紙１４及び裏表紙１６を閉じた状態において内面１４ｂ、１６ｂにそれぞれ対向する本体部１２の内面１２ａ、１２ｂについても、内面１４ｂ、１６ｂと同様に、エンボス加工を施すことができる。
【００１９】
背表紙１８は、いわゆる丸背又は角背とすることができ、ここでは、平面視、中央部１８ａが外に向かって凸となるような山型（丸背）に形成されている。背表紙１８の中央部１８ａは、表紙１４及び裏表紙１６よりも厚さが大きくなっている。なお、背表紙１８を平面視方形（角背）に形成した場合にも、背表紙１８は、表紙１４及び裏表紙１６よりも厚さが大きい部分を有することができる。背表紙１８の内面１８ｂは、本体部１２の側面のうち、本におけるのどを構成する面２８に固定されている（参照：図２、図３（Ａ））。この固定は、のり、ボンド又はテープ等による接着によって行うことができる。
【００２０】
表紙１４、裏表紙１６及び背表紙１８は、本体部１２よりも高さ方向にわずかに長く形成されており、本体部１２の天２０及び地２２よりも上方及び下方に長く延在している（参照：図３（Ｃ））。したがって、ダミーブック１０を接地面に立てた場合、表紙１４、裏表紙１６及び背表紙１８の下面は接地面に接触する一方、本体部１２の地２２は接地面に非接触となる。同様に、表紙１４及び裏表紙１６は、背表紙１８と反対側が本体部１２よりも奥行き方向にわずかに長く形成されており、本体部１２の前小口２４よりも外側に長く延在している（参照：図２）。したがって、ダミーブック１０を前小口２４を下にして接地面に立てた場合、表紙１４及び裏表紙１６の側面は接地面に接触する一方、本体部１２の前小口２４は接地面に非接触となる。
【００２１】
図４及び図５に示すように、表紙１４、裏表紙１６及び背表紙１８は、カバー４０が着脱可能にかけられるように構成されている。カバー４０は、背表紙１８、表紙１４及び裏表紙１６のそれぞれの外面にかけられる背部４２、表部４４及び裏部４６を有している。また、カバー４０は、表部４４から内側に折り返された表側そで部４７と、裏部４６から内側に折り返された裏側そで部４８と、を有している。ダミーブック１０にカバー４０がかけられた状態では、表部４４が表紙１４の端部を包みこんで表側そで部４７が表紙１４の内面１４ｂと本体部１２の面１２ａとの間に位置し、かつ、裏部４６が裏表紙１６の端部を包みこんで裏側そで部４８が裏表紙１６の内面１６ｂと本体部１２の面１２ｂとの間に位置する。カバー４０には、文字、デザイン、写真等が印刷される。
【００２２】
以上説明したとおり、本実施形態に係るダミーブック１０は、内部が空洞の本体部１２と、本体部１２に対して開閉可能に構成された表紙１４及び裏表紙１６と、を備えている。これにより、ダミーブック１０の軽量化及び汎用性の向上を図ることができる。具体的には、本体部１２の内部が空洞であるため、本体部１２を多数枚の紙を積層して形成する場合に比べて、本体部１２を軽量化することができる。このため、ダミーブック１０を置くところにそれほどの強度を必要とせずに済む。
【００２３】
加えて、表紙１４及び裏表紙１６が本体部１２に対して開閉可能であるため、汎用性を高めることができる。例えば、表紙１４及び裏表紙１６を開いてカバー４０を取り付け、表紙１４及び裏表紙１６を閉じてカバー４０の取付け状態を維持することで、ダミーブック１０の外観イメージを変えることができる。これにより、例えば部屋のインテリアの変更のたびにそれに合ったダミーブック自体を用意せずに済む。一例を挙げると、ダミーブック１０を置く室内インテリアを和から洋に変更したい場合、カバー４０を和書のデザインのものから洋書のデザインのものに取り換えれば済む。
【００２４】
また、ダミーブック１０は、本体部１２に固定された背表紙１８をさらに備え、表紙１４及び裏表紙１６は、それぞれ、一辺が本体部１２ではなく背表紙１８につながって、本体部１２に対して開閉可能に構成されている。こうすることで、ダミーブック１０の構成を、表紙用のもの（１４、１６、１８）と空洞用のもの（１２）とに分けて作った後で、両者の固定を背表紙１８を利用して行うことができる。これにより、表紙１４及び裏表紙１６が開閉するダミーブック１０の製造が容易となり得る。
【００２５】
また、表紙１４、裏表紙１６及び背表紙１８は、カバー４０が着脱可能にかけられるように構成されており、カバー４０がかけられた状態では、カバー４０の表側そで部４７（第１のそで部）が表紙１４と本体部１２との間に位置し、かつ、カバーの表側そで部４７ととは反対側にある裏側そで部４８（第２のそで部）が裏表紙１６と本体部１２との間に位置するようになっている。このように、カバー４０を簡単にかけることができるので、ダミーブック１０の外観イメージを簡単に変更することができる。
【００２６】
また、表紙１４及び裏表紙１６は、それぞれ、内面１４ｂ及び１６ｂにエンボス加工が施されている。同様に、本体部１２についても、表紙１４及び裏表紙１６に対向するそれぞれの面１２ａ、１２ｂにエンボス加工を施すことができる。このようなエンボス加工を施すことで、例えば、ダミーブック１０にかけたカバー４０の表側そで部４７及び裏側そで部４８が本体部１２、表紙１４及び裏表紙１６の接触面に対してずれにくくなる。すなわち、カバー４０を外れにくくすることができる。
【００２７】
また、表紙１４及び裏表紙１６は、それぞれ、背表紙１８につながる一辺に沿って溝３０、３２が形成されている。これにより、本体部１２に対する表紙１４及び裏表紙１６の開閉の起点として溝３０、３２を利用することができるので、開閉がスムーズとなる。しかも、溝３０、３２は、表紙１４及び裏表紙１６の外面に形成されているので、表紙１４及び裏表紙１６の開閉がより一層容易となる。
【００２８】
また、背表紙１８は、表紙１４及び裏表紙１６よりも厚さが大きい部分（中央部１８ａ）を有している。これにより、背表紙１８の強度を上げることができるので、例えば背表紙１８に本体部１２を接着するときの作業がし易くなる。
【００２９】
また、本体部１２は、表紙１４及び裏表紙１６を閉じた状態において外部に露出する面の少なくとも一部に、本体部１２の厚み方向に沿って凹凸を繰り返す凹凸模様２６を有している。このような凹凸模様２６を設けることで、本物の本のページの束をイメージした外観となるので、ダミーブック１０を本物の本のイメージにより近づけることができる。とりわけ、凹凸模様２６は、本体部１２の天２０、地２２及び前小口２４を構成する面に形成されているので、ダミーブック１０を縦置き及び横置きのいずれの向きに置いた場合であっても、凹凸模様２６を外部から見えるようにすることが可能となる。
【００３０】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。
【００３１】
例えば、内部が空洞の本体部１２を収納空間として利用してもよい。具体的には、本体部１２の内面１２ａの一部又は全部を設けないようにした場合、本体部１２の内部に本体部１２の外部からアクセス可能な収納空間が構成される。この場合、表紙１４が、この収納空間を開閉する蓋として機能することになる。
【符号の説明】
【００３２】
１０…ダミーブック、１２…本体部、１２ａ、１２ｂ…内面、１４…表紙、１４ａ…外面、１４ｂ…内面、１６…裏表紙、１６ａ…外面、１６ｂ…内面、１８…背表紙、１８ａ…中央部、１８ｂ…内面、２０…天、２２…地、２４…前小口、２６…凹凸模様、２６ａ…凸部、２６ｂ…凹部、２８…面（のど）、３０、３２…溝、４０…カバー、４２…背部、４４…表部、４６…裏部、４７…表側そで部、４８…裏側そで部
【図１】
2018199310.tif 000003
【図２】
2018199310.tif 000004
【図３】
2018199310.tif 000005
【図４】
2018199310.tif 000006
【図５】
2018199310.tif 000007